(57)【要約】【課題】  固体撮像素子のカバーガラス表面や光学フィルタ表面に付着した異物を簡単な操作で除去したい。【解決手段】  光学部材の表面に付着した異物を除去するアクセサリ装置であって、ユーザにより支持される支持部１１と、支持部１１に一体的に設けられた略Ｖ字型の可撓部１２と、可撓部１２に取り付けられた弾性部１３と、弾性部１３に懸架された粘着部１４とを有し、カメラのマウント１０１の開口を通して粘着部を押し込んで異物に接触させその粘着力で、カメラ内のフィルタ面などに付着した異物を除去する。【選択図】  図１
2005316391.tif 000002
【特許請求の範囲】
【請求項１】
光学機器の内部に付着した異物を除去するアクセサリ装置であって、
ユーザにより支持される支持部と、
前記支持部より先端方向に向けて略Ｖ字型を有する可撓部と、
前記可撓部に懸架された弾性部と、
前記弾性部の少なくとも先端部側に設けられた粘着部と、
を有することを特徴とするアクセサリ装置。
【請求項２】
前記光学機器は、内部に少なくとも固体撮像素子、光学フィルタ、カバーガラスのいずれかの光学部材を具備するものであり、前記粘着部と該光学部材の表面とを接触させることにより異物を除去するように構成されていることを特徴とする請求項１に記載のアクセサリ装置。
【請求項３】
前記弾性部と前記粘着部は、先端方向に向けてＲ形状を有していることを特徴とする請求項１又は２に記載のアクセサリ装置。
【請求項４】
前記粘着部が当接状態から押圧状態に移行すると、前記粘着部のほぼ中央部から周辺部に向かって前記光学機器の光学部材の表面に当接するように構成されていることを特徴とする請求項１乃至３のいずれか１項に記載のアクセサリ装置。
【請求項５】
前記粘着部は粘着テープを含むことを特徴とする請求項１乃至４のいずれか１項に記載のアクセサリ装置。
【請求項６】
前記粘着部は粘着ゴムを含むことを特徴とする請求項１乃至４のいずれか１項に記載のアクセサリ装置。
【請求項７】
前記アクセサリ装置は先端部側から、カメラのマウント機構の開口を介してカメラ内に挿入され、前記粘着部と前記カメラの撮像部及び／又はその近傍とを接触させることにより異物を除去するように構成されていることを特徴とする請求項１乃至６のいずれか１項に記載のアクセサリ装置。
【請求項８】
前記カメラの撮像部は、固体撮像素子、光学フィルタ、カバーガラスのいずれかを含むことを特徴とする請求項７に記載のアクセサリ装置。
【請求項９】
前記粘着部よりも強い粘着力を有し、前記粘着部と接触して前記粘着部に付着している異物を除去する粘着部清掃用部材を更に有することを特徴とする請求項１又は７に記載のアクセサリ装置。
【請求項１０】
光学機器の内部に付着した異物を除去するアクセサリ装置であって、
ユーザにより支持される支持部と、
粘着面を具備する粘着部と、
可撓性を有し、前記支持部に対して前記粘着面を略直交するように展開して保持する可撓部と、
を有することを特徴とするアクセサリ装置。
【請求項１１】
前記光学機器は、内部に少なくとも固体撮像素子、光学フィルタ、カバーガラスのいずれかの光学部材を具備するものであり、前記粘着部と該光学部材の表面とを接触させることにより異物を除去するように構成されていることを特徴とする請求項１０に記載のアクセサリ装置。
【請求項１２】
前記粘着部は粘着テープを含むことを特徴とする請求項１０又は１１に記載のアクセサリ装置。
【請求項１３】
前記粘着部は粘着ゴムを含むことを特徴とする請求項１０又は１１に記載のアクセサリ装置。
【請求項１４】
前記粘着部よりも強い粘着力を有し、前記粘着部と接触して前記粘着部に付着している異物を除去する粘着部清掃用部材を更に有することを特徴とする請求項１０に記載のアクセサリ装置。
【請求項１５】
光学機器の内部に付着した異物に接触させて当該異物を除去するためのアクセサリ装置であって、
ユーザにより支持される支持部と、
前記支持部より先端方向に向けて略Ｖ字型を有する可撓部と、
前記可撓部に懸架された弾性部材と、
前記弾性部材の少なくとも接触面側に設けられ粘着力を変化させた粘着部と、
を有することを特徴とするアクセサリ装置。
【請求項１６】
前記粘着部の少なくとも接触面側は、２種類以上のそれぞれ異なる粘着力を有する粘着部材により構成されていることを特徴とする請求項１５に記載のアクセサリ装置。
【請求項１７】
前記接触面側は、前記粘着部を対象物に接触させる際に当該対象物に接触する時間差に応じて前記２種類以上の異なる粘着力を有する粘着部材により構成されているを特徴とする請求項１６に記載のアクセサリ装置。
【請求項１８】
前記粘着部は、前記粘着部と対象物との間にかかる圧力が大きい部分ほど粘着力を小さくしていることを特徴とする請求項１５に記載のアクセサリ装置。
【請求項１９】
光学機器の内部に付着した異物に接触させて当該異物を除去するためのアクセサリ装置であって、
ユーザにより支持される支持部と、
粘着力を変化させた粘着面を具備する粘着部と、
可撓性を有し、前記支持部に対して前記粘着面を略直交するように展開して保持する可撓部と、
を有することを特徴とするアクセサリ装置。
【請求項２０】
前記粘着部の少なくとも接触面側は、２種類以上のそれぞれ異なる粘着力を有する粘着部材により構成されていることを特徴とする請求項１９に記載のアクセサリ装置。
【請求項２１】
前記接触面側は、前記粘着部を対象物に接触させる際に当該対象物に接触する時間差に応じて前記２種類以上の異なる粘着力を有する粘着部材により構成されているを特徴とする請求項２０に記載のアクセサリ装置。
【請求項２２】
前記粘着部は、前記粘着部と対象物との間にかかる圧力が大きい部分ほど粘着力を小さくしていることを特徴とする請求項１９に記載のアクセサリ装置。
【発明の詳細な説明】
【技術分野】
【０００１】
本発明は、例えばデジタルカメラ等の光学機器のアクセサリ装置に関し、特に光学機器に組み込まれている光学部材の表面或はその近傍に付着した異物を除去するためのアクセサリ装置に関するものである。
【背景技術】
【０００２】
カメラの撮影レンズの焦点面近傍に塵埃等の異物が存在すると、その異物の影が固体撮像素子に写り込んでしまうという問題がある。このような異物は、レンズ交換時に塵埃が外部から侵入したり、カメラ内部でのシャッタやミラーの動作に伴い、その構造部材である樹脂等の微細な磨耗紛が発生することが原因と考えられている。このような原因で発生した塵埃が、特に固体撮像素子の保護用のカバーガラスとカバーガラスの全面に配設されている赤外カットフィルタや光学ローパスフィルタ（以下、ＬＰＦと略す）等の光学フィルタの間に入り込んでしまった場合には、その塵埃を除去するためにカメラを分解しなければならなかった。このため、固体撮像素子のカバーガラスと光学フィルタとの間に塵埃が入り込まないように密閉構造にすることは極めて有効なものであった。
【０００３】
しかしながら、光学フィルタの固体撮像素子に対向側と反対の表面に塵埃が付着した場合、それが焦点面の近傍である場合にはその塵埃が影となって固体撮像素子に写り込んでしまうという問題が依然として残っている。
【０００４】
そこで、このような問題点を解決するために、固体撮像素子のカバーガラスの表面もしくは防塵構造の最外面をワイパーで清掃するものがある（特許文献１参照）。このようなカメラ構成にすると、レンズを外さず、またカメラを分解することなく固体撮像素子のカバーガラス表面又は防塵構造の最外面（例えば光学フィルタ表面）に付着した塵埃を除去することができる。
【特許文献１】特開２００３-０１８４４０号公報
【特許文献２】実開平０６-０６３１８３号公報
【発明の開示】
【発明が解決しようとする課題】
【０００５】
しかしながら特許文献１の構成では、固体撮像素子のカバーガラスの表面や防塵構造の最外面をワイパーで擦るため、金属紛のような硬い塵埃の場合には、固体撮像素子のカバーガラスの表面や防塵構造の最外面にキズを付ける可能性がある。またワイパーを配設するための機構が必要となり、カメラが大型化するという問題がある。
【０００６】
そこで、粘着性を有する清掃棒により、付着している塵埃を清掃対象物から除去するものがある（特許文献２）。これは棒状部材の一端部にクッション材を介して粘着材を配設しクッション性と粘着性を併せ持った清掃部を備えた粘着性清掃棒により、固体撮像素子のカバーガラスの表面や光学フィルタの表面に付着した塵埃を取り除くものである。しかしながら、このような粘着性清掃棒を用いて清掃する場合、固体撮像素子のカバーガラスの表面や光学フィルタの表面に付着した塵埃が少なければ比較的簡単に取り除くことができるが、多くの塵埃が付着した場合には、複数回の除去作業が必要になる。更に、この特許文献２では、塵埃を除去するのに最適な清掃部の形状について言及していないため、多くの塵埃を確実に除去できるかどうかが不安である。
【０００７】
本発明は、上記従来技術の欠点を解決することにある。
【０００８】
本発明は上記問題点に鑑みてなされたもので、本願発明の特徴は、固体撮像素子のカバーガラスの表面や光学フィルタの表面といった固体撮像素子或はその近傍に付着した単数もしくは複数の異物を簡単に除去できるアクセサリ装置を提供することにある。
【０００９】
また本発明の特徴は、固体撮像素子のカバーガラスの表面や光学フィルタの表面を汚したり傷つけることなく、そこに付着している異物を確実に除去できるアクセサリ装置を提供することにある。
【００１０】
更に本発明の特徴は、固体撮像素子のカバーガラスの表面や光学フィルタの表面といった固体撮像素子或はその近傍に付着した単数もしくは複数の異物を、その付着した位置に拘わらず確実に除去できるアクセサリ装置を提供することにある。
【課題を解決するための手段】
【００１１】
上記特徴は、独立クレームに記載の特徴の組み合わせにより達成され、従属項は発明の単なる有利な具体例を規定するものである。
【００１２】
本発明に係る光学機器のアクセサリ装置は以下のような構成を備える。即ち、
光学機器の内部に付着した異物を除去するアクセサリ装置であって、ユーザにより支持される支持部と、前記支持部より先端方向に向けて略Ｖ字型を有する可撓部と、前記可撓部に懸架された弾性部と、前記弾性部の少なくとも先端部側に設けられた粘着部と、を有することを特徴とする。
【００１３】
本発明に係る光学機器のアクセサリ装置は以下のような構成を備える。即ち、
光学機器の内部に付着した異物を除去するアクセサリ装置であって、ユーザにより支持される支持部と、粘着面を具備する粘着部と、可撓性を有し、前記支持部に対して前記粘着面を略直交するように展開して保持する可撓部とを有することを特徴とする。
【００１４】
本発明に係る光学機器のアクセサリ装置は以下のような構成を備える。即ち、
光学機器の内部に付着した異物に接触させて当該異物を除去するためのアクセサリ装置であって、
ユーザにより支持される支持部と、
前記支持部より先端方向に向けて略Ｖ字型を有する可撓部と、
前記可撓部に懸架された弾性部材と、
前記弾性部材の少なくとも接触面側に設けられ粘着力を変化させた粘着部と、
を有することを特徴とする。
【００１５】
本発明に係る光学機器のアクセサリ装置は以下のような構成を備える。即ち、
光学機器の内部に付着した異物に接触させて当該異物を除去するためのアクセサリ装置であって、
ユーザにより支持される支持部と、
粘着力を変化させた粘着面を具備する粘着部と、
可撓性を有し、前記支持部に対して前記粘着面を略直交するように展開して保持する可撓部とを有することを特徴とする。
【発明の効果】
【００１６】
本発明によれば、固体撮像素子のカバーガラスの表面や光学フィルタの表面といった固体撮像素子或はその近傍に付着した単数もしくは複数の異物を簡単に除去できる。
【００１７】
ま、固体撮像素子のカバーガラスの表面や光学フィルタの表面といった固体撮像素子或はその近傍に付着した単数もしくは複数の異物を、その付着した位置に拘わらず確実に除去できる。
【発明を実施するための最良の形態】
【００１８】
以下、添付図面を参照して本発明の好適な実施の形態を詳しく説明する。尚、以下の実施の形態は、本願の特許請求の範囲に係る発明を限定するものでなく、また、本実施の形態で説明されている特徴の組み合わせの全てが発明の解決手段に必須のものとは限らない。
【００１９】
［実施の形態１］
図１は、本発明の実施の形態１に係るアクセサリ装置１０の構成を示す概観斜視図である。
【００２０】
図において、アクセサリ装置１０は、塵埃（異物）を除去する際にアクセサリ装置１０をユーザが支持する支持部１１、支持部１１と一体的に設けられ、略Ｖ型で可撓性を備えている可撓部１２、この可撓部１２に一体的に懸架されており、略「コ」の字型をしている弾性部１３及び弾性部１３の先端に設けられた粘着部１４とを備えている。
【００２１】
尚、粘着部１４が設けられている弾性部１３の先端部側は、外側にやや膨らんだ略円弧形状を形成している。これによりカメラ内の固体撮像素子のカバーガラスや光学フィルタ等のように、その表面形状が略平面の光学部材に粘着部１４が当接する場合は、後述するように、その粘着部１４が押し付けられるのに応じて光学部材の中央からその周辺部に向かって徐々に粘着部１４が当接することとなる。また、この粘着部１４は、粘着テープ（例えば住友３Ｍ製両面粘着テープ「９３１３」）や、もしくは弾性部１３の表面にアクリル系等の粘着剤を直接塗布したものでも良い。
【００２２】
また本実施の形態に係るアクセサリ装置１０は、図１に示すような構成のものに限らず、例えば支持部１１の先端、或は支持部１１と一体に可撓性を有する柔軟部材で構成されたゴム状の部材を設け、このゴム状の部材により粘着部１４である粘着シート（粘着テープ）を広げた（展開させた）状態で保持させたものでも良い。これにより図１の構成と同様に、粘着シートによりゴミなどの異物を除去でき、またゴム状の部材が緩衝材として機能しているため、光学機器の内部を傷付けないようにしてゴミを除去できる。
【００２３】
図２は、本実施の形態１に係るアクセサリ装置１０を用いて、固体撮像素子のカバーガラスの表面もしくは光学フィルタの表面等に付着した異物を除去する対象機器である光学機器の一例であるデジタルカラーカメラ（以下、単にカメラと呼ぶ）１００の構成を説明するための側方視断面図である。
【００２４】
このカメラ１００は、ＣＣＤ或はＣＭＯＳセンサなどの固体撮像素子を用いた単板式のカメラ（一眼レフカメラ）であり、固体撮像素子を連続的又は単発的に駆動して、動画像或は静止画像を表わす画像信号を得る。ここで固体撮像素子は、露光した光を画素毎に電気信号に変換し、その光量に応じた電荷をそれぞれ蓄積し、その電荷を読み出すタイプのエリアセンサである。
【００２５】
図２において、１００はカメラ本体、１０１はマウント機構であり、不図示の撮影レンズ（内部に絞りと結像光学系を有して取り外し可能）は、このマウント機構１０１を介してカメラ１００本体に電気的及び機械的に接続される。このようなデジタル一眼レフカメラでは、撮影に使用する撮影レンズを焦点距離の異なるレンズに交換することにより、様々な画角の撮影画面を得ることができる。固体撮像素子１０６は、パッケージ１２４に収納されており、このパッケージ１２４はカバーガラス１２５にて固体撮像素子１０６を密閉状態で保持している。そして、不図示の撮影レンズ内の結像光学系から固体撮像素子１０６に至る光路中には、固体撮像素子１０６上に物体像の必要以上に高い空間周波数成分が伝達されないように結像光学系のカットオフ周波数を制限する光学ローパスフィルタ１５６（以下、ＬＰＦ１５６と略す）が設けられている。また、この結像光学系には赤外線カットフィルタも形成されている。更に、カバーガラス１２５とＬＰＦ１５６との間は両面テープ等の密封部材１５７にて密封構造となっているので、カメラ１００の外部もしくはカメラ１００内部で発生した異物が、これらＬＰＦ１５６とカバーガラス１２５との間に入り込まないようになっている。
【００２６】
固体撮像素子１０６で捉えられた物体像は、ディスプレイ１０７に表示される。このディスプレイ１０７は、このカメラ１００の背面に取り付けられており、撮影時等において、使用者は、その撮影対象の画像をこのディスプレイ１０７により直接観察できる。このディスプレイ１０７は、有機ＥＬ空間変調素子や液晶空間変調素子、微粒子の電気泳動を利用した空間変調素子などで構成すると消費電力が小さく、かつ薄型で都合が良い。また固体撮像素子１０６は、増幅型固体撮像素子の一つであるＣＭＯＳプロセスコンパチブルのセンサ（以下、ＣＭＯＳセンサと略す）である。このＣＭＯＳセンサの特徴の一つに、エリアセンサ部のＭＯＳトランジスタと撮像素子の駆動回路、Ａ／Ｄ変換回路、画像処理回路といった周辺回路（図３参照）を同一工程で形成できることが挙げられる。この特徴により、マスク枚数、プロセス工程がＣＣＤと比較して大幅に削減できる。また、任意の画素へのランダムアクセスが可能といった特長も有し、ディスプレイ用に画素を間引いた読み出しが容易で、高い表示レートでリアルタイム表示が行える。固体撮像素子１０６は、このような特徴を利用し、ディスプレイ１０７の画像出力動作、高精彩画像出力動作を行う。
【００２７】
ハーフミラー１１１は、光学ファインダに不図示の結像光学系からの光路を分割する可動型のミラーである。フォーカシングスクリーン１０５は、物体像の予定結像面に配置されている。１１２はペンタプリズムである。レンズ１０９は、撮影時、ユーザが光学ファインダ像を観察するためのレンズであり、実際には３つのレンズで構成されている。フォーカシングスクリーン１０５、ペンタプリズム１１２、レンズ１０９はファインダ光学系を構成している。ここでハーフミラー１１１の屈折率はおよそ１．５、厚さは０．５mmである。このハーフミラー１１１の背後には可動型のサブミラー１２２が設けられており、ハーフミラー１１１を透過した光束の内、光軸に近い光束を焦点検出部１２１に偏向している。サブミラー１２２は、ハーフミラー１１１の保持部材（不図示）に設けられた回転軸を中心に回転し、ハーフミラー１１１の動きに連動して移動する。尚、この焦点検出部１２１は位相差検出方式の焦点検出を行う。
【００２８】
ハーフミラー１１１とサブミラー１２２からなる光路分割系は、上述のファインダ光学系に光を導くための第１の光路分割状態、不図示の結像レンズからの光束をダイレクトに固体撮像素子１０６に導くために撮影光路から退避した第２の光路分割状態（図２の破線で示した位置：１１１ａ及び１２２ａ）を取ることができる。
【００２９】
１０４は可動式の閃光発光部（ストロボ）、１１３はフォーカルプレンシャッタ、１１９はメインスイッチ、１２０はレリーズボタンである。モード切替えスイッチ１２３は、カメラ１００のＬＰＦ１５６の表面等に付着した異物をアクセサリ装置１０を使用して除去するために、カメラ１００をクリーニングモードに設定するためのスイッチである。１８０は、光学ファインダ内の表示部である。
【００３０】
尚、モード切り換えスイッチ１２３が操作されてクリーニングモードが設定されると、ハーフミラー１１１とサブミラー１２２が第２の光路分割状態である位置１１１ａ及び１２２ａに移動するとともに、フォーカルプレンシャッタ１１３が開放状態となる。この状態をクリーニングモードと呼ぶ。これによりユーザは、マウント機構１０１の開口を通して、直接ＬＰＦ１５６の表面を目視できる状態となる。従って、この状態で、アクセサリ装置１０を使用してＬＰＦ１５６の表面に付着した異物を除去できるようになる。
【００３１】
図３は、本実施の形態１に係るカメラ１００の電気的構成を示すブロック図である。
【００３２】
まず物体像の撮像、記録に関する部分から説明する。このカメラ１００の機能（機構）としては、撮像機構、画像処理機構、記録再生機構、及び全体の動作制御機構を有する。撮像機構は、不図示の撮影レンズの結像光学レンズ、固体撮像素子１０６等を含み、画像処理機構は、Ａ／Ｄ変換器１３０、ＲＧＢ画像処理回路１３１及びＹＣ処理回路１３２を含む。また記録再生機構は、記録処理回路１３３及び再生処理回路１４４を含む。更に制御機構は、カメラシステム制御回路１３５、操作検出回路１３６及び撮像素子駆動回路１３７を含む。接続端子１３８は、外部のコンピュータ等に接続して、データの送受信をするための規格化された端子である。これらの電気回路は不図示の小型燃料電池によって駆動される。
【００３３】
撮像機構は、物体からの光を結像光学系を介して固体撮像素子１０６の撮像面に結像する光学処理機構を含み、不図示の撮影レンズの絞りと、必要に応じて更にメカニカルシャッタ１１３を調節し、適切な光量の物体光を固体撮像素子１０６に露光する。固体撮像素子１０６は、正方画素が長辺方向に３７００個、短辺方向に２８００個並べられ、合計約１０００万個の画素数を有する撮像素子が適用され、各画素にＲ（赤色）、Ｇ（緑色）、Ｂ（青色）のカラーフィルタを交互に配して４画素が一組となる、所謂ベイヤー配列を形成している。このベイヤー配列では、観察者が画像を見たときに強く感じやすいＧの画素をＲやＢの画素よりも多く配置することで、総合的な画像性能を上げている。一般に、この方式の固体撮像素子１０６を用いる画像処理回路では、輝度信号は主にＧから生成し、色信号はＲ，Ｇ，Ｂから生成している。
【００３４】
固体撮像素子１０６から読み出された画像信号は、Ａ／Ｄ変換器１３０によりデジタル画像信号に変換された後、画像処理回路に供給される。Ａ／Ｄ変換器１３０は、露光した各画素からの画像信号の振幅に応じた、例えば１０ビットのデジタル信号に変換して出力する信号変換回路であり、これ以降の画像信号処理はデジタル処理にて実行される。この画像処理回路は、Ｒ，Ｇ，Ｂのデジタル信号から所望の形式の画像信号を得る信号処理回路であり、Ｒ，Ｇ，Ｂの色信号を、輝度信号Ｙ及び色差信号（Ｒ−Ｙ），（Ｂ−Ｙ）で表わされるＹＣ信号などに変換する。この画像処理回路の構成を以下に説明する。ＲＧＢ画像処理回路１３１は、Ａ／Ｄ変換器１３０を介して固体撮像素子１０６から入力した３７００×２８００画素の画像信号を処理する信号処理回路であり、ホワイトバランス回路、ガンマ補正回路、補間演算による高解像度化を行う補間演算回路を有する。ＹＣ処理回路１３２は、輝度信号Ｙ及び色差信号Ｒ−Ｙ，Ｂ−Ｙを生成する信号処理回路である。また、このＹＣ処理回路１３２は、高域輝度信号ＹＨを生成する高域輝度信号発生回路、低域輝度信号ＹＬを生成する低域輝度信号発生回路、及び、色差信号Ｒ−Ｙ，Ｂ−Ｙを生成する色差信号発生回路で構成されている。また輝度信号Ｙは高域輝度信号ＹＨと低域輝度信号ＹＬを合成することによって形成される。
【００３５】
記録再生機構は、メモリへの画像信号の記憶と、ディスプレイ１０７への画像信号の出力とを行う処理回路を含み、記録処理回路１３３はメモリへの画像信号の書き込み処理及び読み出し処理を実行し、再生処理回路１４４は、そのメモリから読み出した画像信号を再生してディスプレイ１０７に表示する。
【００３６】
また記録処理回路１３３は、静止画像及び動画像を表わすＹＣ信号を所定の圧縮形式にて圧縮し、また圧縮データを読み出した際に伸張する圧縮伸張回路を内部に有している。この圧縮伸張回路は、信号処理のためのフレームメモリ等を含み、このフレームメモリに画像処理回路からのＹＣ信号をフレーム毎に蓄積して、それぞれ複数のブロック毎に読み出して圧縮符号化する。この圧縮符号化は、例えば、ブロック毎の画像信号を２次元直交変換、正規化及びハフマン符号化することにより行なわれる。また再生処理回路１４４は、輝度信号Ｙ及び色差信号Ｒ−Ｙ，Ｂ−Ｙをマトリックス変換して、例えばＲＧＢ信号に変換する回路である。この再生処理回路１４４によって変換された信号は、ディスプレイ１０７に表示されて可視画像として表示再生される。この再生処理回路１４４とディスプレイ１０７の間は、例えばブルーツース（Bluetooth）などの無線通信手段を介して接続されてもよい。このように構成することにより、このカメラ１００で撮像する画像を離れたところからでもモニタすることができる。
【００３７】
一方、制御機構は、レリーズボタン１２０やモード切り換えスイッチ１２３等の操作を検出する操作検出回路１３６と、その操作検出信号に応動してハーフミラー１１１やサブミラー１２２を含む各部を制御し、撮像の際のタイミング信号などを生成して出力するカメラシステム制御回路１３５と、このカメラシステム制御回路１３５の制御の下に固体撮像素子１０６を駆動する駆動信号を生成する固体撮像素子駆動回路１３７と、光学ファインダ内の表示部１８０（図２）を制御する情報表示回路１４２とを含む。この制御機構は、外部操作に応動して撮像機構、画像処理機構、記録再生機構をそれぞれ駆動制御する。例えば、レリーズボタン１２０の押下を検出して、固体撮像素子１０６の駆動、ＲＧＢ画像処理回路１３１の動作、記録処理回路１３３の圧縮処理などを制御し、更に情報表示回路１４２によって光学ファインダ内に情報を表示する表示部１８０の各セグメントの状態を制御する。
【００３８】
次に、このカメラ１００における焦点調節に関する部分について説明する。
【００３９】
カメラシステム制御回路１３５には更に、シャッタ制御回路１４０が接続されている。これらはカメラシステム制御回路１３５を中心にして、各々の処理に必要とするデータを相互に通信している。シャッタ制御回路１４０は、撮影画面上の所定の位置に設定された焦点検出視野での焦点検出用センサ１６７の信号出力を得て、この信号出力に基づいて焦点検出信号を生成し、不図示の撮影レンズの結像光学系の結像状態を検出する。ここでデフォーカスが検出されると、これを結像光学系の一部の要素であるフォーカシングレンズの駆動量に変換し、カメラシステム制御回路１３５に送信する。カメラシステム制御回路１３５は、移動する物体に対しては、レリーズボタン１２０が押下されてから実際の撮像制御が開始されるまでのタイムラグを勘案し、適切なレンズ位置を予測した結果によるフォーカシングレンズ駆動量を指示する。また物体の輝度が低く、十分な焦点検出精度が得られないと判定されるときには、閃光発光装置１０４、或は不図示の白色ＬＥＤや蛍光管によって物体を照明する。シャッタ制御回路１４０は、フォーカシングレンズの駆動量を受信すると、撮影レンズ内の不図示の駆動機構によってフォーカシングレンズを光軸Ｌ１（図２）方向に移動させるなどの動作を行い、物体にピントを合わせる。シャッタ制御回路１４０によって、物体にピントが合ったことが検出されると、この情報はカメラシステム制御回路１３５に伝えられる。このとき、レリーズボタン１２０が押下されれば、前述のごとく撮像系、画像処理系、記録再生系による撮像制御が成される。
【００４０】
このように構成されたカメラのＬＰＦ１５６の表面に付着した異物を、本実施の形態１に係るアクセサリ装置１０を用いて除去する動作について、図４から図６を参照して説明する。
【００４１】
図４は、前述のモード切り換えスイッチ１２３が操作されて、カメラ１００がクリーニングモードになっている状態で、アクセサリ装置１０を使用してＬＰＦ１５６の表面に付着した異物を除去する場合を説明する概略斜視図である。
【００４２】
図４に示すように、ユーザはカメラ１００のマウント機構１０１の開口から、フォーカルプレンシャッタが開放状態になることにより形成される開口１１３ａを通してアクセサリ装置１０を挿入して異物の除去作業を行う。
【００４３】
図５（Ａ）は、本実施の形態１に係るアクセサリ装置１０の粘着部１４の中央がＬＰＦ１５６に当接した時の要部上面図、図５（Ｂ）は、図５（Ａ）の状態における要部斜視図である。
【００４４】
図５（Ａ）に示すように、アクセサリ装置１０の粘着部１４の略中央部がＬＰＦ１５６の表面に当接した状態における、アクセサリ装置１０の弾性部１３の紙面横方向（カメラ１０の撮像画面の横方向と同じ）の寸法をＡとする。ここで図５（Ａ）の状態からユーザがアクセサリ装置１０を更にＬＰＦ１５６方向に押し込むと、その動作に応じて円弧状態の弾性部１３の曲率半径が徐々に大きくなる。それに伴って粘着部１４とＬＰＦ１５６とが当接する面積が拡大される。これにより、図６（Ａ）に示すように、粘着部１４の表面が平坦になって寸法Ｂ（Ｂ＞Ａ）まで拡大され、その粘着部１４の略全域がＬＰＦ１５６と当接される。
【００４５】
図６（Ａ）は、図５（Ａ）の状態からアクセサリ装置１０を更にＬＰＦ１５６方向に押し込んで粘着部１４の略全域がＬＰＦ１５６の表面に当接した状態を示す要部上面図で、この状態では、粘着部１４がＬＰＦ１５６の表面形状にならってほぼ平坦になっている。図６（Ｂ）はその時の要部斜視図である。
【００４６】
図５（Ｂ）及び図６（Ｂ）に示すように、アクセサリ装置１０はフォーカルプレンシャッタ１１３が開放状態になることにより形成される開口１１３ａを介して粘着部１４がＬＰＦ１５６と当接可能になっている。
【００４７】
尚、図６（Ａ）における紙面横方向におけるＡからＢへの寸法拡大は、図５（Ａ）の状態から、ユーザがアクセサリ装置１０を更に押し込む動作に応じて、アクセサリ装置１０の可撓部１２が図６（Ａ）に示した矢印Ｃ方向に撓んで広がることにより吸収される。上述の一連の動作により、アクセサリ装置１０の粘着部１４は、最初にその略中央部からＬＰＦ１５６に当接して、その押し込み動作に応じて、その当接する範囲が徐々にＬＰＦ１５６の周辺部へと広がるので、最終的にＬＰＦ１５６の表面に略均一に付着することになる。
【００４８】
これとは逆に、図６（Ａ）の状態からユーザが、アクセサリ装置１０を引き離していくと、アクセサリ装置１０の可撓部１４の撓んだ状態から、徐々にその撓み量が減少する。それに伴い、弾性部１３も図６（Ａ）のほぼ平坦の形状から図５（Ａ）に示す円弧状へと戻っていく。これにより粘着部１４は、ＬＰＦ１５６表面の周辺部から離れていき、最後に、粘着部１４の略中央部がＬＰＦ１５６の中央部から離れてＬＰＦ１５６との当接状態が解除される。これにより、ＬＰＦ１５６の表面に付着した異物は粘着部１４に吸着されてＬＰＦ１５６の表面から除去される。そしてアクセサリ装置１０がカメラ１０のマウント機構１０１の開口を介してカメラ１０の内部から外部に取り出されることにより、内部に付着していた異物はカメラ１０の外部に完全に排出されることとなる。
【００４９】
図７は、上述のようにしてアクセサリ装置１０の粘着部１４に付着させてカメラ１０の外部に排出した異物を、粘着部１４から剥離する方法の一例を説明する概略図である。
【００５０】
図において、１５は粘着部１４よりも高い粘着力を有するシート状の転写材（例えば、尾高ゴム工業製「タッキー」）である。尚、この転写材１５の形状及び構成はこれに限らず、例えばローラ形状をしたものでも同様の効果が得られる。また図７において、３０はＬＰＦ１５６の表面に付着した異物（ゴミ）を示している。
【００５１】
図７に示した状態から、アクセサリ装置１０の粘着部１４を転写材１５に押し付けると、その転写材１５は、粘着部１４よりも高い粘着力を有しているため、その粘着部１４に付着していた異物１は転写材１５の表面に付着される。これにより、粘着部１４の表面に付着していた異物が除去され粘着部１４が清掃されて、ゴミなどが付着していない元の状態に戻される。
【００５２】
尚、更に、転写材１５の表面に付着した異物１を除去するには、その表面をアルコール系の溶剤や水で洗浄することにより行う。
【００５３】
［実施の形態２］
図８は、粘着部１４を粘着ゴム２４（例えば、角田ブラシ製「カーボレスMIMOZA-ST」）で構成した、本発明の実施の形態２に係るアクセサリ装置２０の外観斜視図である。尚、このアクセサリ装置２０の他の構成（支持部１１、可撓部１２、弾性部１３）は、前述の実施の形態１のアクセサリ装置１０と同じであるため同じ番号を符し、その説明を省略する。
【００５４】
図９及び図１０は、本発明の実施の形態２に係るアクセサリ装置２０がカメラ１０のマウント機構１０１の開口からフォーカルプレンシャッタ１１３の開口１１３ａを介してカメラ内部に侵入して、ＬＰＦ１５６の表面に付着した異物を除去する時の要部上面図である。
【００５５】
前述の図５及び図６を用いて説明したのと同様に、図９はアクセサリ装置２０の粘着ゴム２４の略中央がＬＰＦ１５６に当接した時の要部上面図を示している。また図１０は、図９の状態から、アクセサリ装置２０を更にＬＰＦ１５６方向に押し込んで粘着部１４の略全域がＬＰＦ１５６の表面に当接し、粘着ゴム２４がＬＰＦ１５６の表面形状にならってほぼ平坦になった状態を示す要部上面図である。
【００５６】
図９に示したように、アクセサリ装置２０の粘着ゴム２４の中央部が当接した状態で、アクセサリ装置２０の弾性部１３の紙面横方向（カメラ１０の撮像画面の横方向と同じ）の寸法をＡ´とする。ここで図９の状態から、ユーザが更にアクセサリ装置２０をＬＰＦ１５６方向に押し込むと、その動作に応じて円弧状態の弾性部１３の曲率半径が徐々に大きくなる。これに伴って粘着ゴム２４とＬＰＦ１５６とが当接する面積が広がっていく。これにより図９で示した寸法Ａ'が徐々に長くなり、最後には図１０で示したように、粘着ゴム２４の略全域がＬＰＦ１５６と当接し、粘着ゴム２４がほぼ平坦になった時には寸法Ｂ'（Ｂ'＞Ａ'）まで長くなっている。
【００５７】
この紙面横方向の寸法拡大は、図９からユーザがアクセサリ装置２０を押し込む動作に応じて、可撓部１２が図１０に示した矢印Ｃ'方向に撓んで広がることにより吸収される。上述の一連の動作により、アクセサリ装置２０の粘着ゴム２４は、最初にその略中央部がＬＰＦ１５６と当接し、押し込まれるのにつれて徐々にＬＰＦ１５６の周辺部へと当接していく。そして最後にはＬＰＦ１５６の表面に略均一に付着することになる。
【００５８】
これとは逆に、ユーザが図１０の状態からアクセサリ装置２０を引き離していくと、アクセサリ装置２０の可撓部１２の撓んだ状態から、徐々にその撓み量が減少する。それに伴い、弾性部１３も、図１０のほほ平坦の形状から図９の円弧状へと戻っていく。こうして粘着ゴム２４は、ＬＰＦ１５６表面の周辺部から離れていき、最後にはＬＰＦ１５６の略中央部から離れてＬＰＦ１５６との当接状態が解除される。
【００５９】
これにより、ＬＰＦ１５６の表面に付着した異物は粘着ゴム２４に吸着されて、ＬＰＦ１５６の表面から除去される。そしてアクセサリ装置２０がカメラ１０の内部から取り出されることにより、ＬＰＦ１５６やその近傍に付着していた異物は、カメラ１０の外部に完全に排出されることとなる。
【００６０】
尚、粘着ゴム２４に付着した異物を除去する方法は、図７を参照して説明した方法と同でじでもよく、或はアルコール系の溶剤で洗浄しても構わない。
【００６１】
なお、上述の実施の形態においては、図２を用いて、フォーカルプレーンシャッタ１１３より固体撮像素子１０６へ至る撮像光軸に沿ってＬＰＦ１５６、カバーガラス１２５が順に並んでおり、ＬＰＦ１５６上に付着した異物を除去することについて説明したが、光学部材の配置によっては必ずしもＬＰＦ１５６上の異物を除去することに限るものではなく、本質的には撮像に影響を与える異物を除去すべく、このような異物が付着する撮像光軸上の光学部材に対して粘着部を接触させるものである。
【００６２】
以上説明したように本実施の形態によれば、カメラの撮像部を構成する光学フィルタや保護レンズなどの表面に付着した単数もしくは複数の異物を、一度の作業で確実に除去できるアクセサリ装置を提供できる。
【００６３】
また本実施の形態に係るアクセサリ装置に付着した異物を簡単かつ確実に除去できるため、そのアクセサリ装置を繰り返し使用できるという効果がある。
【００６４】
［実施の形態３］
図１１は、本発明の実施の形態３に係るアクセサリ装置３０の構成を示す概観斜視図である。
【００６５】
図において、アクセサリ装置３０は、異物を除去する際に、アクセサリ装置３０をユーザが支持するための支持部３１、その支持部３１の長手方向に対して略垂直な面を形成する３つの部材から成る土台部３２、この土台部３２に懸架されている弾性部３３及び弾性部３３の先端に設けられた不図示の粘着部、土台部３２それぞれが支持部３１に略垂直になるようにして土台部３２を連結している軸部３４とを備えている。
【００６６】
尚、粘着部が設けられている弾性部３３の先端部（被粘着対象物（異物））側は、外側にやや膨らんだ略円弧形状を形成している。これによりカメラ内の固体撮像素子のカバーガラスや光学フィルタ等のように、その表面形状が略平面の光学部材に弾性部３３の粘着部が当接する場合は、後述するように、その粘着部が押し付けられるのに応じて光学部材の中央からその周辺部に向かって徐々に粘着部との接触面積が広がりながらが当接することとなる。また軸部３４と土台３２ｂは固定されているが、軸部３４と、土台３２ａ及び土台３２ｃのそれぞれとは各土台３２ａ及び土台３２ｃの軸受け部内部で、後述するバネ３５（図１２、図１３）を介して摺動可能となっている。
【００６７】
図１２は、本実施の形態３に係るアクセサリ装置３０の粘着部の略中央がＬＰＦ１５６に当接した時の要部上面図、図１３は、本実施の形態３に係るアクセサリ装置３０をＬＰＦ１５６の方向に更に押し込んで、弾性部３３の粘着部の略全域がＬＰＦ１５６の表面に当接した状態を示す要部上面図である。但し、図１２及び図１３では、土台３２ｃ側のみを示している。
【００６８】
図１２に示すように、アクセサリ装置３０をＬＰＦ１５６に押し込む以前では、バネ３５は軸部３４に押されて縮んだ状態である。この状態から、図１３に示すようにアクセサリ装置３０をＬＰＦ１５６に更に押し付けると、粘着部がＬＰＦ１５６の表面の略全域に亘って当接するように変形する。このため弾性部３３は支持部３１に対して略垂直方向に、且つ図１１において左右方向に拡がって、２つの土台部３２が互いに離反する方向に移動される。これにより、バネ３５に対する軸部３４による押圧力が減少しバネ３５が伸びた状態になる。この時、軸部３４によって土台３２ａ、土台３２ｂ、土台３２ｃは支持部３１に対して略垂直になり、粘着部の略全域がＬＰＦ１５６の表面に当接するようになる。
【００６９】
以上説明したような構成のアクセサリ装置３０であっても、前述の実施の形態１で説明したアクセサリ装置１０と同様に、カメラの撮像部を構成する光学フィルタや保護レンズなどの表面に付着した単数もしくは複数の異物を、一度の作業で確実に除去できる。
【００７０】
［実施の形態４］
図１４は本発明の実施の形態４に係るアクセサリ装置４０の外観斜視図である。尚、このアクセサリ装置４０の他の構成（支持部１１、可撓部１２、弾性部１３）は、前述の実施の形態１のアクセサリ装置１０と同じであるため同じ番号を付し、その説明を省略する。尚、粘着部４４を構成する粘着部材４４ａ，４４ｂ，４４ｃについては後に詳しく説明する。
【００７１】
図１５及び図１６は、本発明の実施の形態４に係るアクセサリ装置４０をカメラ１０のマウント機構１０１の開口からフォーカルプレンシャッタ１１３の開口１１３ａを介してカメラ内部に侵入させて、ＬＰＦ１５６の表面に付着した異物を除去する時の要部上面図である。
【００７２】
前述の図９及び図１０を用いて説明したのと同様に、図１５はアクセサリ装置４０の粘着部４４の略中央がＬＰＦ１５６に当接した時の要部上面図を示している。
【００７３】
また図１６は、図１５の状態から、アクセサリ装置４０を更にＬＰＦ１５６方向に押し込んで粘着部４４の略全域がＬＰＦ１５６の表面に当接し、粘着ゴム４４がＬＰＦ１５６の表面形状にならってほぼ平坦になった状態を示す要部上面図である。
【００７４】
図１５に示したように、アクセサリ装置４０の粘着部４４の略中央部が当接した状態における、アクセサリ装置４０の弾性部１３の紙面横方向（カメラ１０の撮像画面の横方向と同じ）の寸法をＡ''とする。ここで図１５の状態から、ユーザが更にアクセサリ装置４０をＬＰＦ１５６方向に押し込むと、その動作に応じて円弧状態の弾性部１３の曲率半径が徐々に大きくなる。これに伴って粘着部４４とＬＰＦ１５６とが当接する面積が広がっていく。これにより図１５で示した寸法Ａ''が徐々に長くなり、最後には図１６で示すように、粘着部４４の略全域がＬＰＦ１５６と当接する。こうして粘着部４４がほぼ平坦になった時には寸法Ｂ''（Ｂ''＞Ａ''）まで長くなっている。
【００７５】
この紙面横方向の寸法拡大は、図１５に示す状態から、更にユーザがアクセサリ装置４０を押し込む動作に応じて、可撓部１２が図１６に示した矢印Ｃ''方向に撓んで広がることにより吸収される。上述の一連の動作により、アクセサリ装置４０の粘着部４４は、最初に、その略中央部がＬＰＦ１５６と当接し、アクセサリ装置４０がカメラ内に押し込まれるのにつれて徐々にＬＰＦ１５６の周辺部へと当接していく。そして最後に、ＬＰＦ１５６の表面に略均一に付着することになる。
【００７６】
ここで、アクセサリ装置４０を押し込む一連の動作においてＬＰＦ１５６にかかる圧力は一様ではない。つまり図１５の状態ではＬＰＦ１５６にかかる圧力は、ＬＰＦ１５６の略中央部のみである。次に図１６の状態では、可撓部１２の撓みやすさが弾性部１３の変形し易さにくらべて大きい時、ＬＰＦ１５６にかかる圧力は、粘着部４４の周辺部より中央部の方が大きくなる。一方、可撓部１２の撓みやすさが弾性部１３の変形のし易さに比べて小さい時、ＬＰＦ１５６にかかる圧力は、その略中央部より周辺部の方が大きい。ＬＰＦ１５６の表面に付着した塵埃等の異物を除去する能力は、ＬＰＦ１５６に粘着部４４が押し付けられる時間、圧力、そして粘着部４４の粘着力によって定まる。例えば、ＬＰＦ１５６に押し付けられる時間が一定の時、異物を除去するためには圧力が大きいほど粘着部４４の粘着力は小さくてよい。よって、粘着部４４の粘着力を、これらの要素を考慮した粘着力に制御することにより、ＬＰＦ１５６の略全面において均一に異物を除去できるアクセサリ装置４０が得られる。
【００７７】
そこで、本実施の形態に係る粘着部４４の構成例を説明する。
【００７８】
粘着部材４４ａ，４４ｂ，４４ｃは、それぞれ粘着力ａ、粘着力ｂ、粘着力ｃを有する粘着部材である。可撓部１２の撓みやすさが弾性部１３の変形のし易さに比べて大きい時、ＬＰＦ１５６にかかる圧力は周辺部より中央部の方が大きくなる。よって、粘着部材４４の粘着力を（粘着力ａ、粘着力ｃ＞粘着力ｂ）とする。逆に、可撓部１２の撓みやすさが弾性部１３の変形し易さに比べて小さい時は、ＬＰＦ１５６にかかる圧力は、略中央部より周辺部の方が大きくなるので、粘着部材４４の粘着力は（粘着力ａ、粘着力ｃ＜粘着力ｂ）とする。
【００７９】
このような構成にすることにより、ＬＰＦ１５６の略全面において均一に異物を除去できるアクセサリ装置４０が得られる。
【００８０】
また本実施の形態４では、粘着部を３つに分けたが、本発明はこれに限らない。また、粘着部４４は異なる粘着部材を組み合わせる構成でなくても、例えば紫外線を照射することにより粘着力が生じ、その粘着力が紫外線の照射時間によって制御できるような物質（例えば、特開平５−１３６２４８号公報参照）であれば、粘着部４４に前記粘着材料を用いて所望の粘着力の分布が得られるよう紫外線の照射量を制御すれば良い。また例えば、粘着成分と母材となるゴム成分の密度差を用いて、粘着力に所望の勾配を持たせた粘着部材を作成し、それを粘着部４４に用いてもよい。
【００８１】
以上説明したように本実施の形態によれば、撮像素子近傍の光学フィルタ表面に付着した単数もしくは複数の異物が一度のクリーニング作業で除去できるアクセサリ装置を提供できる。
【００８２】
またアクセサリ装置の粘着部に付着した異物を、簡単かつ確実に除去できる清掃手段を提供できる。
【００８３】
また上記アクセサリ装置は、上述の実施の形態２のようなマウントに取り付けるアクセサリ装置にも同様に応用可能である。
【００８４】
また上記粘着部は、上記実施の形態３に係るアクセサリ装置３０にも同様に応用可能である。
【００８５】
尚、上述の実施の形態では、光学フィルタ面に付着した異物の除去方法について説明したが本発明はこれに限定されるものではなく、例えばフォーカルプレンシャッタの開口を介して固体撮像素子のカバーガラス表面が目視できるようなデジタルカラーカメラの場合は、その固体撮像素子のカバーガラスに付着した異物を本実施の形態に係るアクセサリ装置で除去できることは言うまでもない。
【図面の簡単な説明】
【００８６】
【図１】本発明の実施の形態１に係るアクセサリ装置の構成を示す概観斜視図である。
【図２】本実施の形態１に係るアクセサリ装置を用いて塵埃を除去する対象機器である光学機器の一例であるデジタルカラーカメラの構成を説明するための側方視断面図である。
【図３】本実施の形態１に係るカメラの電気的構成を示すブロック図である。
【図４】カメラがクリーニングモードになっている状態で、アクセサリ装置を使用してＬＰＦの表面に付着した塵埃を除去する場合を説明する概略斜視図である。
【図５】本実施の形態１に係るアクセサリ装置の粘着部の中央がＬＰＦに当接した時の要部上面図（Ａ）と図５（Ａ）の状態における要部斜視図（Ｂ）である。
【図６】図５（Ａ）の状態からアクセサリ装置を更にＬＰＦ方向に押し込んで粘着部の略全域がＬＰＦの表面に当接した状態を示す要部上面図（Ａ）とその時の要部斜視図（Ｂ）である。
【図７】本発明の実施の形態１におけるアクセサリ装置の粘着部に付着した塵埃を除去する方法の一例を示した概略図である。
【図８】本発明の実施の形態２に係るアクセサリ装置の外観斜視図である。
【図９】本発明の実施の形態２に係るアクセサリ装置がＬＰＦの表面に付着した塵埃を除去する時に、粘着部とＬＰＦとが当接した状態を示す要部上面図である。
【図１０】本発明の実施の形態２に係るアクセサリ装置がＬＰＦの表面に付着した塵埃を除去する時に、粘着部がＬＰＦに押し付けられた状態を示す要部上面図である。
【図１１】本発明の実施の形態３に係るアクセサリ装置の構成を示す斜視図である。
【図１２】本発明の実施の形態３に係るアクセサリ装置がＬＰＦの表面に付着した異物を除去する時に、粘着部とＬＰＦとが当接した状態を示す要部上面図である。
【図１３】本発明の実施の形態３に係るアクセサリ装置がＬＰＦの表面に付着した異物を除去する時に、粘着部がＬＰＦに押し付けられた状態を示す要部上面図である。
【図１４】本発明の実施の形態４に係るアクセサリ装置の構成を示す斜視図である。
【図１５】本発明の実施の形態４に係るアクセサリ装置がＬＰＦの表面に付着した異物を除去する時に、粘着部とＬＰＦとが当接した状態を示す要部上面図である。
【図１６】本発明の実施の形態４に係るアクセサリ装置がＬＰＦの表面に付着した異物を除去する時に、粘着部がＬＰＦに押し付けられた状態を示す要部上面図である。
【図１】
2005316391.tif 000003
【図２】
2005316391.tif 000004
【図３】
2005316391.tif 000005
【図４】
2005316391.tif 000006
【図５】
2005316391.tif 000007
【図６】
2005316391.tif 000008
【図７】
2005316391.tif 000009
【図８】
2005316391.tif 000010
【図９】
2005316391.tif 000011
【図１０】
2005316391.tif 000012
【図１１】
2005316391.tif 000013
【図１２】
2005316391.tif 000014
【図１３】
2005316391.tif 000015
【図１４】
2005316391.tif 000016
【図１５】
2005316391.tif 000017
【図１６】
2005316391.tif 000018